(57)【要約】【課題】  不慮の事態が生じないようにして止水栓の操作をいつでも確実に行うこと。【解決手段】  地中に埋設されている止水栓５０のケーシング５１を固定部材４８により一体化する座板４０と、座板４０に固定され、座板４０から上方に延在する筒部２０と、筒部２０の上端に固定され、止水栓５０を操作する際に筒部２０の上部開口を開放する蓋体１４とを有する点にある。【選択図】      図１
2009185518.tif 000002
【特許請求の範囲】
【請求項１】
地中に埋設されている止水栓のケーシングを固定部材により一体化する座板と、
前記座板に固定され、この座板から上方に延在する筒部と、
前記筒部の上端に固定され、前記止水栓を操作する際に前記筒部の上部開口を開放する蓋体と
を有することを特徴とする止水栓装置。
【請求項２】
前記筒部は、前記座板を備えた下部筒体と、前記蓋体を備えた上部筒体との間に位置しており、前記両筒体にそれぞれ嵌合されていることを特徴とする請求項１に記載の止水栓装置。
【請求項３】
前記止水栓のケーシングを座板に一体化する前記固定部材は、少なくとも１本のねじとされていることを特徴とする請求項１または請求項２に記載の止水栓装置。
【請求項４】
前記止水栓のケーシングを座板に一体化する前記固定部材は、ナットとされており、前記止水栓のケーシングには、前記ナットと螺着される雄ねじ部が突設されていることを特徴とする請求項１または請求項２に記載の止水栓装置。
【発明の詳細な説明】
【技術分野】
【０００１】
本発明は、上水道配管などに介装され、配管への水の供給を遮断するために操作される止水栓に係り、特に、この止水栓の操作を良好に行うようにするための止水栓装置に関する。
【背景技術】
【０００２】
一般に、公道に沿って延在する上水道本管から分岐した上水道配管には、水道メーターの上流側に地中に埋設されている止水栓が介装されている。この止水栓は、常時は配管へ水を供給するために開かれており、必要に応じて配管への水の供給を遮断するために閉じられるようになっている。
【０００３】
ところで、この止水栓の操作は、上方から回転用治具を下降させて、止水栓の止水弁体を回転させて行うようになっている。このため、止水栓の上方には、筒状の止水栓筐と称される筒体が配設されており、この筒体内に前記回転用治具を挿入して止水弁体を回転させるようになっている（例えば、特許文献１参照）。
【０００４】
【特許文献１】特開２００２−２２０８５７号公報
【発明の開示】
【発明が解決しようとする課題】
【０００５】
しかしながら、前述した特許文献１に記載されている止水栓装置においては、筒体が止水栓に嵌合されているだけで、強固に固定されていないため、筒体外周の土砂の圧力により筒体が傾斜したりすると、回転用治具により止水栓を操作できなくなるおそれがあった。
【０００６】
また、実際の止水栓の現場においては、筒体の下端が止水栓にまで到達していないこともあり、この場合には、止水栓が土砂に埋もれてしまい、回転用治具が止水栓にまで到達できないおそれもあった。
【０００７】
そこで、本発明は、不慮の事態が生じないようにして止水栓の操作をいつでも確実に行いうるようにした止水栓装置を提供することを目的とするものである。
【課題を解決するための手段】
【０００８】
前述した目的を達成するため、本発明の止水栓装置の特徴は、地中に埋設されている止水栓のケーシングを固定部材により一体化する座板と、前記座板に固定され、この座板から上方に延在する筒部と、前記筒部の上端に固定され、前記止水栓を操作する際に前記筒部の上部開口を開放する蓋体とを有する点にある。
【０００９】
そして、このような構成を採用したことにより、筒部が座板を介して止水栓と一体化されているので、筒部が傾斜したり、止水栓が土砂に埋もれてしまったりすることがなく、止水栓の操作を常に確実に行うことができる。
【００１０】
また、前記筒部が、前記座板を備えた下部筒体と、前記蓋体を備えた上部筒体との間に位置しており、前記両筒体にそれぞれ嵌合されているようにすれば、筒部を両筒体間に安定的に保持することができる。
【００１１】
さらに、前記止水栓のケーシングを座板に一体化する前記固定部材を、少なくとも１本のねじとすることにより、ねじにより座板を介して筒部を止水栓に強固に一体化することができる。
【００１２】
さらにまた、前記止水栓のケーシングを座板に一体化する前記固定部材をナットとし、前記止水栓のケーシングに、前記ナットと螺着される雄ねじ部を突設することにより、座板から突出している雄ねじ部にナットを螺着すれば、このナットが雄ねじ部の座板からの抜け止めとなり、ることにより筒部を止水栓に強固に一体化することができる。
【発明の効果】
【００１３】
本発明によれば、止水栓の上方に位置している筒部を止水栓と一体化しているので、筒部が傾斜したり、止水栓の上方が土砂に埋もれたりすることがなく、止水栓の操作を常時安定的に行うことができる。
【発明を実施するための最良の形態】
【００１４】
図１は本発明に係る止水栓装置の第１実施形態を示すものである。
【００１５】
図１において、本発明の止水栓装置１は、上部筒体１０と、この上部筒体１０の下端部に嵌合されている円筒形状の筒部２０と、この筒部２０の下端部に嵌合されている下部筒体２５と、この下部筒体２５に装着されている座板４０とを有しており、これらの上部筒体１０、筒部２０、下部筒体２５および座板４０は、それぞれ樹脂により形成されている。
【００１６】
前記上部筒体１０は、上面が地表に露出するものであり、図２に詳示するように、上部開口１１Ａ、下部開口１１Ｂおよび内孔１２を有する円筒状に形成されている。前記上部開口１１の側方の前記上部筒体１０の内部には、水平方向の支軸１３が形成されている。この支軸１３には、蓋体１４が回動自在に支持されており、この蓋体１４により前記上部開口１１Ａが開閉されるようになっている。
【００１７】
前記上部蓋体１０の内側には、前記蓋体１４が着座するとともに、後述する筒部２０の抜け止めとなる環状突部１５が突設されている。また、前記上部筒体１０の上部の外周には、円周方向に間隔を隔てて複数のリブ１６，１６…が突設されている。
【００１８】
図１に戻って、前記上部筒体１０に嵌合される筒部２０は、内孔２１を有し全体として円筒形状をなしており、この筒部２０の外径は、前記上部筒体１０の内孔１２の内径とほぼ等しくされている。よって、前記筒部２０の上端部は、前記上部筒体１０の内孔１２内に比較的密に嵌合され、前記環状突部１５の下端に当接することになる。
【００１９】
前記下部筒体２５は、図３および図４に詳示するように、上部開口２６Ａ、下部開口２６Ｂおよび内孔２７を有する円筒状に形成されている。前記下部筒体２５は、上端部において、下側が上側より膨出するように外径および内径を変化させている。また、前記下部筒体２５の上下方向の中間部より下部の前壁２８Ａおよび後壁２８Ｂには、それぞれ逆Ｕ字状をなす開口２９Ａ，２９Ｂが相互に対向するように形成されている。前記両開口２９Ａ，２９Ｂは、図示しない配管が挿通されるためのものである。
【００２０】
前記下部筒体２５の下端部の左右には、それぞれ外向きの段部３０Ａ，３０Ｂを介して拡開円弧部３１Ａ，３１Ｂが形成されている。また、前記各段部３０Ａ，３０Ｂおよび下部筒体２５の外周壁３２間には、円周方向に間隔を隔てて複数のリブ３３Ａ，３３Ｂが突設されている。さらに、前記各拡開円弧部３１Ａ，３１Ｂの上端部には、前後に間隔を隔てて各１対の長方形状の係合用開口３４，３４が穿設されている。
【００２１】
前記下部筒体２５の両拡開円弧部３１Ａ，３１Ｂの内側には、座板４０が嵌合されている。この座板４０の平面形状は、中央部を長方形とされ、この長方形の両側が円弧状に膨出する小判形状とされている。この座板４０の外周縁の平面形状は、前記下部筒体２５の拡開円弧部３１Ａ，３１Ｂの内側に比較的密に嵌合されるような寸法に形成されている。
【００２２】
さらに、前記下部蓋体２５の上端部の内側には、前記筒部２０の下端が当接しての抜け止めとなる環状突起３５が突設されている。
【００２３】
また、前記座板４０の外周縁には、下方に延在する外周壁４１が垂設されており、この外周壁４１の上端部には、それぞれ外方に突出する４つの係合舌片４２が突設されている。各係合舌片４２は、それぞれ前記下部筒体２５の対応する係合用開口３４に４つの係合舌片４２とも同時に嵌合するような位置に形成されている。前記各係合舌片４２の背部の前記座板４０の外周縁部には、それぞれ開口４３が形成されており、また、前記各係合舌片４２の下端には、前記外周壁４１の下端部と連設されるとともに、両側縁が前記外周壁４１と離間している舌片基部４４が接続されている。したがって、前記各係合舌片４２は、前記開口４３方向に弾性変形して対応する前記開口３９から後方に抜け出ることができるようになっている。
【００２４】
前記座板４０の中央部には、長孔状の凹部４５が形成されている。この凹部４５内には、前記座板４０より低位となる底壁４５が張設されており、この凹部４５内に地中に埋設されている止水栓５０のケーシング５１の下端部が嵌合されるようになっている。
【００２５】
前記止水栓５０は、前述したように、公道に沿って延在する上水道本管から分岐した上水道配管における水道メーターの上流側に介装されているものであり、この止水栓５０は、常時は配管へ水を供給するために開かれており、必要に応じて配管への水の供給を遮断するために閉じられるようになっている。
【００２６】
前記凹部４５の底壁４６には、左右に間隔を隔てて１対のばか孔４７，４７が形成されている。
【００２７】
一方、前記止水栓５０のケーシング５１の底面には、前記両ばか孔４７の間隔と等しい間隔を隔てて１対のねじ穴５２，５２が螺設されている。
【００２８】
つぎに、前述した構成からなる本実施形態の作用について説明する。
【００２９】
下部筒体２５を座板４０から分離させた状態において、止水栓５０の下方に座板４０を位置させ、座板４０の凹部４４内に止水栓５０のケーシング５１の下端部が嵌合されることになる。
【００３０】
この状態において座板４０の凹部４５の底壁４６に形成されている１対のばか孔４７にそれぞれ固定部材の一例としてのねじ４８を挿入し、このねじ４８を止水栓５０のケーシング５１の対応するねじ穴５２に螺着する。すると、止水栓５０のケーシング５１と座板４０とは一体化されることになる。
【００３１】
つぎに、止水栓５０の上方から下部筒体２５を下降させ、止水栓５０および座板４０を覆うようにして下部筒体２５の各係合用開口３４に座板４０の各係合舌片４２を係合舌片４２の弾性変形を利用して係合させる。すると、下部筒体２５と座板４０とが止水栓５０を抱持するようにして止水栓５０と一体化させる。
【００３２】
そこで、前記下部筒体２５の上部開口２６Ａから筒部２０の下端部を挿入し、環状突起３５に筒部２０の下端を当接させて着座させる。
【００３３】
さらに、筒部２５の上端部に上部筒体１０の下部開口１１Ｂを嵌合し、上部筒体１０の環状突起１５を筒部２０の上端に当接させて着座させる。
【００３４】
このようにして本実施形態の止水栓装置１が設置されることになるが、本実施形態の止水栓装置１においては、止水栓５０の上方に位置している上部筒体１０、筒部２０および下部筒体２５が座板４０との間に介装されているねじ４８により止水栓５０と一体化しているので、地面内に埋設されている筒部２０が傾斜したり、止水栓５０の上方が土砂に埋もれたりすることがなく、止水栓の操作を常時安定的に行うことができる。
【００３５】
したがって、上部筒体１０の蓋体１４を回動させて持ち上げて、上部筒体１０の上部開口１１Ａから治具を挿入して、止水栓５０を操作することにより、止水栓５０を常に確実に行うことができる。
【００３６】
図５ないし図７は本発明の第２実施形態を示すものであり、本実施形態においては、前述した第１実施形態と異なり、止水栓５０のケーシング５１には、止水栓５０の中央部の直下に雄ねじ部５３が一体に突設されている。
【００３７】
一方、前記凹部４５の底壁４６には、第１実施形態における１対の前記ばか孔に代えて１対のばか孔の中央位置に１つのばか孔４７ａが穿設されている。
【００３８】
そして、止水栓５０の雄ねじ部５３を凹部４５の底壁４６に形成されているばか孔４７ａに挿通させるようにして止水栓５０を座板４０上に着座させる。このとき、凹部４５の底壁４６上には、この底壁４６の形状にほぼ合致している形状の膨出部５４が着座することになる。そして、この状態において、雄ねじ部５３に一例として樹脂製のナット４９を螺着することにより、止水栓５０のケーシング５１と座板４０とは一体化されることになる。
【００３９】
その後の下部筒体、筒部および上部筒体の組立は前述した第１実施形態と同様である。
【００４０】
この第２実施形態のように、固定部材としてナット４９を用い、止水栓５０のケーシング５１に突設した雄ねじ部５３に螺着するようにしても、第１実施形態と同様の作用効果を奏することができる。
【００４１】
なお、本発明は、前述した実施の形態に限定されるものではなく、必要に応じて種々の変更が可能である。前述した第１実施形態においては、座板４０を止水栓５０のケーシング５１と一体化する固定部材として２本のねじ４８を用いたが、ねじの数は１本あるいは３本以上でもよい。また、第１実施形態においては、固定部材としてねじ４８を用い、第２実施形態においては、固定部材としてナット４９を用いるように説明したが、座板４０に、止水栓５０のケーシング５１に弾性変形して嵌着される部材を設けるようにして、座板４０と止水栓５０のケーシング５１とを一体化するようにしてもよい。
【００４２】
また、上部筒体１０を設けることなく、地表に露出する蓋体を直接筒部２０に設けるようにしてもよい。
【図面の簡単な説明】
【００４３】
【図１】本発明に係る止水栓装置の第１実施形態を示す要部縦断面正面図
【図２】図１の上部筒体の要部縦断面正面図
【図３】図１の下部筒体に止水栓を装着した状態を示す縦断面正面図
【図４】図４は図１の下部筒体と底板の分解斜視図
【図５】本発明に係る止水栓装置の第２実施形態を示す下部筒体に止水栓を装着した状態の縦断面正面図
【図６】図５の止水栓の縦断面図
【図７】図５の相当部分の底面図
【符号の説明】
【００４４】
１  止水栓装置
１０  上部筒体
１４  蓋体  
１５  環状突起
２０  筒部
２５  下部筒体
３４  係合用開口  
３５  環状突起  
４０  座板
４２  係合舌片  
４５  凹部  
４６  底壁  
４７，４７ａ  ばか孔  
４８  ねじ（固定部材）
４９  ナット
５０  止水栓  
５１  ケーシング
５２  ねじ穴
５３  雄ねじ部
【図１】
2009185518.tif 000003
【図２】
2009185518.tif 000004
【図３】
2009185518.tif 000005
【図４】
2009185518.tif 000006
【図５】
2009185518.tif 000007
【図６】
2009185518.tif 000008
【図７】
2009185518.tif 000009